(57)【特許請求の範囲】
【請求項１】
医薬粉体ノズル付容器であって、該容器は、吸引チューブ（１）を収容する容器本体（４１）および容器カバー（４２）を含み、突出部（４５）が、上記容器本体（４１）の一側に設けられ、コネクタ（４６）が吸引チューブ（１）との結合のために上記突出部（４５）の先端に設けられ、穴部（４８）が、上記容器本体（４１）の底部に設けられ、チャネル（４９）と連通し、吸引チューブ（１）をコネクタ（４６）に結合するとき、上記チャネル（４９）の反対側が上記吸引チューブ（１）と連通し、フィルター部（２）が、上記吸引チューブ（１）内に配置され、乾燥粉末吸入器の口が、上記穴部（４８）と整列するよう配置させることができ、上記吸引チューブ（１）が上記コネクタ（４６）から取り外されるとき、キャップ（４７）が上記コネクタ（４６）に設けられることを特徴とする医薬粉体ノズル付容器。
【請求項２】
請求項１の医薬粉体ノズル付容器であって、少なくとも一つの容器壁部分（４３）が、容器壁の高さ調整のために、上記容器本体（４１）と上記容器カバー（４２）との間に設けられることを特徴とする医薬粉体ノズル付容器。
【請求項３】
請求項１または２の医薬粉体ノズル付容器であって、上記容器本体（４１）の容器壁または容器壁部分（４３）の内部には、少なくとも一つのガスケット（５０）が存在し、該ガスケットは、空気漏れを防止するために、容器壁と配置された乾燥粉末吸入器との間の隙間に挿入されることを特徴とする医薬粉体ノズル付容器。
【請求項４】
請求項１の医薬粉体ノズル付容器であって、上記キャップ（４７）が、コネクタ（４６）上に設けられることを特徴とする医薬粉体ノズル付容器。
【請求項５】
請求項１の医薬粉体ノズル付容器であって、上記容器本体（４１）上の上記コネクタ（４６）は、少なくとも一つの上記吸引チューブ（１）と結合して医療粉末吸引器を形成することを特徴とする医薬粉体ノズル付容器。
【発明の詳細な説明】
【技術分野】
【０００１】
本発明は、医療器具、特に、医薬粉体ノズル付容器およびその応用に関する。特に、容器は、ノズルと結合されて吸入器を形成し、また、他の乾燥粉体吸入器に直接結合され、乾燥粉体から医薬粉体を分離する。
【背景技術】
【０００２】
現存の乾燥粉体吸入器を用いる喘息の吸入治療は、５％のような低い、国際喘息ガイドライン（ＧＩＮＡ）治癒率を有する。吸入に用いられる医薬粉末粒子は、容易にかたまり、分離するのが難しく（毎回の投与時間は、分離して投与するにはあまりにも短すぎる）、乾燥粉末におけるラクトースの含有量が９８．８％のように高くなってしまう。しかしながら、長期間のラクトースの吸入は、いくつかの副作用をもたらす一方で、ラクトースの吸い込み量を低減するための乾燥粉末の減少した吸入は、医薬粉末の投与量の減少につながり、それに伴って低い治療効果につながるであろう。
【発明の概要】
【発明が解決しようとする課題】
【０００３】
本発明の目的は、医薬粉体ノズル付容器および医薬粉体ノズルを用いることによって、医薬粉末を分離し、治療効果を改善することにある。
【課題を解決するための手段】
【０００４】
本発明の目的は、容器本体（４１）、容器カバー（４２）を含む医薬粉体ノズル付容器であって、突出部（４５）が本体（４１）の一側に設けられ、コネクタ（４６）が吸引チューブ（１）との結合のために設けられ、穴部（４８）が、容器本体（４１）の底部に設けられ、チャネル（４９）と連通していることを特徴とする医薬粉体ノズル付容器によって達成される。
【０００５】
本発明において、少なくとも一つの容器壁部分（４３）が、容器壁の高さ調整のために、本体（４１）とカバー（４２）との間に設けられる。
【０００６】
本発明において、本体（４１）の容器壁または容器壁部分（４３）の内部には、少なくとも一つのガスケット（５０）が存在し、ガスケット（５０）は、空気漏れを防止するために、容器壁と配置された乾燥粉末吸入器との間の隙間に挿入される。
【０００７】
本発明において、キャップ（４７）が、吸引チューブコネクタ（４６）上に設けられる。
【０００８】
本発明において、安定化リング（４４）が、医薬粉体ノズルを固定するためにカバー（４２）の頂部に設けられる。
【０００９】
本発明において、本体（４１）のコネクタ（４６）は、少なくとも一つの吸引チューブ（１）と結合され、吸入用の粉末が、容器の底部の穴部（４８）に注入され、または、タービュヘイラー（登録商標）（３６）が吸入状態で反転させられ、本体（４１）に配置され、乾燥粉末を吸入するタービュヘイラー（登録商標）（３６）の乾燥粉体吸入口は、医薬を吸入するための穴部（４８）と整列させられる。
【００１０】
本発明において、結合内側チューブ（８）、球体（８ａ）および障壁部がチャネル（４９）内部に設けられる。
【００１１】
本発明において、フィルター部（２）が、容器本体の穴部（４８）から吸入口へのチャネル内に設けられており、メッシュ番号、形状、大きさおよびレベルが必要に応じてセットされ、例えば、フィルターの穴は、６ミクロンより大きい直径を持った粒子を防止する。
【発明の効果】
【００１２】
本発明の利点は、以下のとおりである。
１．容器は、容器内のノズルと結合されて、吸入器を形成できる。
２．直径が５ミクロン未満の医薬粉末粒子が、乾燥粉末からろ過され得る。
３．医薬粉末を吸入するための吸入チャネルが比較的適時に閉鎖され得る。
４．現存の乾燥粉体吸入器に接続して欠点を補うことができる。
５．ノズルの配置を良くすることができる。
【図面の簡単な説明】
【００１３】
【図１】本発明品の外観の概略図である。
【図２】本発明品および容器内に配置された医療粉体ノズルの断面図である。
【図３】容器本体（４１）内部の平面図である。
【図４】ガスケット（５０）の概略図である。
【図５】ノズルと接続された本体（４１）の断面図である。
【図６】タービュヘイラー（登録商標）（３６）と接続された本発明品の断面図である。
【発明を実施するための形態】
【００１４】
本発明が、図面を参照して、さらに説明される。
【実施例１】
【００１５】
吸入チューブ（１）内、または、吸入チューブ（１）と吸入チューブ（１１）との間のチューブ空所内に、フィルター部（２）を配置し、吸入チューブ（１）を吸入チューブ（１１）に結合し、キャップ（４７）を除去し、内側チューブ（８）および球体（８ａ）をチャネル（４９）内に配置し、吸入チューブ（１１）をコネクタ（４６）に結合して、粉体吸入器（図５参照）を形成する。穴部（４８）に吸入用の粉末を注入し、使用者が吸い込み部位で吸入するとき、粉末は、内側チューブ（８）に入り、医薬粉体粒子は、球体（８ａ）の振動により分離され、医薬粒子は、皿型フィルター（２）を通してろ過され、すばやく気道に入り、十分な量でもって良好な結果が達成される。吸入器への意図しない吐出は、球体（８ａ）が内側チューブ（８）の狭径部を塞ぐことを引き起こし、それにより、貯蔵する医薬粉体が押し出されるのを防止し得る。吸入の後、吸入具は、再使用のために、取り外され、洗浄される。
【００１６】
本発明の器具は、プラスチック射出成型によって形成されるか、本発明の器具の各部分は、金属、セラミック、新材料で形成され、それから、互いに結合させられる。
【図１】
0005994187.tif 000002
【図２】
0005994187.tif 000003
【図３】
0005994187.tif 000004
【図４】
0005994187.tif 000005
【図５】
0005994187.tif 000006
【図６】
0005994187.tif 000007